(57)【要約】【課題】本発明は、後端余白設定印刷処理を利用性を向上させつつ適切に行うインク噴射式の画像形成装置に関する。【解決手段】インク噴射式複合装置１は、記録紙Ｐの搬送方向後端側の所定幅の余白部分に画像データが存在すると、当該余白部分の画像データを省いて記録紙Ｐから当該余白部分を除いた印刷可能領域にのみ印刷する後端余白設定印刷を行うと、後端余白設定印刷を行った旨を操作パネル５のディスプレイに表示出力する等の方法で報知出力する。したがって、後端余白部分の画像が一部省かれて印刷されていることを確実に確認することができ、安価にかつ画像品質を良好に維持しつつ、用紙長さよりも長い画像を安価にかつ適切に印刷出力することができる。【選択図】          図１
2007307744.tif 000002
【特許請求の範囲】
【請求項１】
副走査方向への用紙の搬送と主走査方向に移動されるキャリッジに搭載されているノズルから画像データに基づく前記用紙へのインク滴の噴射を行って画像形成するとともに、少なくとも前記用紙の搬送方向後端側の所定幅の余白部分に画像データが存在すると、当該余白部分の画像データを省いて当該用紙から当該余白部分を除いた印刷可能領域にのみ印刷する後端余白設定印刷を行う画像形成装置において、前記後端余白設定印刷を行うと、後端余白設定印刷を行った旨を所定の報知手段から報知出力する印刷後報知処理を行うことを特徴とする画像形成装置。
【請求項２】
副走査方向への用紙の搬送と主走査方向に移動されるキャリッジに搭載されているノズルから画像データに基づく前記用紙へのインク滴の噴射を行って画像形成するとともに、少なくとも前記用紙の搬送方向後端側の所定幅の余白部分に画像データが存在すると、当該余白部分の画像データを省いて当該用紙から当該余白部分を除いた印刷可能領域にのみ印刷する後端余白設定印刷を行う画像形成装置において、前記用紙の搬送方向後端側の余白部分に画像データが存在すると、前記後端余白設定印刷を行うか否かの問い合わせを所定の報知手段から報知し、当該報知に応じて所定の指示操作手段から当該後端余白設定印刷の開始が指示操作されると、当該後端余白設定印刷を行う事前報知後端余白設定印刷処理を実行することを特徴とする画像形成装置。
【請求項３】
副走査方向への用紙の搬送と主走査方向に移動されるキャリッジに搭載されているノズルから画像データに基づく前記用紙へのインク滴の噴射を行って画像形成するとともに、少なくとも前記用紙の搬送方向後端側の所定幅の余白部分に画像データが存在すると、当該余白部分の画像データを省いて当該用紙から当該余白部分を除いた印刷可能領域にのみ印刷する後端余白設定印刷を行う画像形成装置において、前記後端余白設定印刷を行うと、当該後端余白部分の画像データを次ページの用紙に印刷出力するデータ分割印刷処理を行うことを特徴とする画像形成装置。
【請求項４】
副走査方向への用紙の搬送と主走査方向に移動されるキャリッジに搭載されているノズルから画像データに基づく前記用紙へのインク滴の噴射を行って画像形成するとともに、少なくとも前記用紙の搬送方向後端側の所定幅の余白部分に画像データが存在すると、当該余白部分の画像データを省いて当該用紙から当該余白部分を除いた印刷可能領域にのみ印刷する後端余白設定印刷を行う画像形成装置において、前記用紙の搬送方向後端側の余白部分に画像データが存在すると、前記後端余白設定印刷を行う場合に当該後端余白部分の画像データを次ページの用紙に印刷出力するか否かの問い合わせを所定の報知手段から報知して、当該報知に応じた所定の指示操作手段からの指示操作に応じて、前記余白部分の画像データを省いた後端余白設定印刷のみを行う事前報知後端余白設定印刷処理と、前記後端余白設定印刷を行うとともに当該後端余白部分の画像データを次ページの用紙に印刷出力するデータ分割印刷処理とを選択的に実行することを特徴とする画像形成装置。
【請求項５】
副走査方向への用紙の搬送と主走査方向に移動されるキャリッジに搭載されているノズルから画像データに基づく前記用紙へのインク滴の噴射を行って画像形成するとともに、少なくとも前記用紙の搬送方向後端側の所定幅の余白部分に画像データが存在すると、当該余白部分の画像データを省いて当該用紙から当該余白部分を除いた印刷可能領域にのみ印刷する後端余白設定印刷を行う画像形成装置において、外部から渡される画像データに基づいて画像形成するプリンタ機能、読み取った原稿の画像を画像形成するコピー機能及び少なくともファクシミリ受信した画像データを画像形成するファクシミリ機能等の各種アプリケーション機能を備え、前記用紙の搬送方向後端側の余白部分に画像データが存在すると、前記後端余白設定印刷を行う場合に、当該後端余白設定印刷を行った後に当該後端余白設定印刷を行った旨を所定の報知手段から報知出力する印刷後報知処理、所定の報知手段からの所定の問い合わせの報知に応じた所定の指示操作手段からの指示操作に応じた前記後端余白設定印刷の開始の指示操作に応じて当該後端余白設定印刷を行う事前報知後端余白設定印刷処理、前記後端余白設定印刷の後端余白部分の画像データを次ページの用紙に印刷出力するデータ分割印刷処理うち、前記アプリケーション機能毎に予め設定された設定状態に応じて、または、前記アプリケーション機能毎に所定の選択手段での選択に応じて選択した処理を実行することを特徴とする画像形成装置。
【請求項６】
副走査方向への用紙の搬送と主走査方向に移動されるキャリッジに搭載されているノズルから画像データに基づく前記用紙へのインク滴の噴射を行って画像形成するとともに、少なくとも前記用紙の搬送方向後端側の所定幅の余白部分に画像データが存在すると、当該余白部分の画像データを省いて当該用紙から当該余白部分を除いた印刷可能領域にのみ印刷する後端余白設定印刷を行う画像形成装置において、外部から渡される画像データに基づいて画像形成するプリンタ機能、読み取った原稿の画像を画像形成するコピー機能及び少なくともファクシミリ受信した画像データを画像形成するファクシミリ機能等の各種アプリケーション機能を備え、当該ファクシミリ機能で受信した画像データが前記用紙の搬送方向後端側の余白部分に存在すると、前記後端余白設定印刷を行う場合に、当該後端余白設定印刷を行った後に当該後端余白設定印刷を行った旨を所定の報知手段から報知出力する印刷後報知処理、所定の報知手段からの所定の問い合わせの報知に応じた所定の指示操作手段からの指示操作に応じた前記後端余白設定印刷の開始の指示操作に応じて当該後端余白設定印刷を行う事前報知後端余白設定印刷処理、前記後端余白設定印刷の後端余白部分の画像データを次ページの用紙に印刷出力するデータ分割印刷処理のいずれの処理を実行するかがファクシミリ画像の送信元毎に予め設定され、当該設定状態に応じて実行する処理を選択することを特徴とする画像形成装置。
【請求項７】
前記画像形成装置は、前記用紙の搬送方向後端側の余白部分に画像データが存在すると、前記後端余白設定印刷を行うか否かの問い合わせを所定の報知手段から報知し、当該問い合わせの報知に応じた所定の指示操作手段からの指示操作に応じた処理を行うことを特徴とする請求項４から請求項６のいずれかに記載の画像形成装置。
【発明の詳細な説明】
【技術分野】
【０００１】
本発明は、画像形成装置に関し、詳細には、後端余白設定印刷処理を利用性を向上させつつ適切に行うインク噴射式の画像形成装置に関する。
【背景技術】
【０００２】
近年、インク噴射式画像形成装置は、現像定着などのプロセスを必要とせず、非接触で直接印字することができるため、低騒音、高速高画質のカラー印字が可能で、普通紙を使用できることから、広く普及してきている。その中でも記録を必要とする時にのみインク液滴を吐出するドロップ・オン・デマンド（ＤＯＤ）方式のインク噴射式画像形成装置は、印字に不必要なインクの回収系を用いなくてすむため、メンテナンスが簡単で、装置構成が小型・安価となるため、近年、大いに普及してきている。
【０００３】
そして、インク噴射式画像形成装置は、インクを噴射する複数のノズルをキャリッジ上に複数副走査方向に並べて配設し、当該ノズルを搭載するキャリッジを主走査方向に移動させつつノズルからインクを噴射させる動作と、用紙を副走査方向に搬送させる動作と、を交互に繰り返し行うことで、用紙に画像形成する。
【０００４】
この用紙の搬送方式としては、用紙を帯電性を有する搬送ベルトに静電吸着させ、当該搬送ベルトを副走査方向に搬送駆動させることで、用紙を副走査方向に搬送する方式があり、この搬送ベルトによる搬送は、たわみのない用紙搬送を行うことができ、出力画像の品質を向上させることができる。
【０００５】
そして、このような搬送ベルト方式を用いた搬送方式で用紙を搬送しつつ、当該用紙にインク滴を噴射して画像形成する場合、画像データが当該用紙の副走査方向端部、すなわち、用紙後端部まであるときには、用紙後端までインク滴を噴射させて画像形成すると、用紙後端からインクがはみ出した状態で画像形成され、用紙から外れたインクが搬送ベルトに付着して、搬送ベルトによる用紙の搬送性能が低下したり、搬送ベルトに付着したインクが用紙の裏面に再転写されて、印刷済用紙の品質が低下するという問題があった。
【０００６】
そこで、従来から、搬送ベルト上へのインクの吐出を防止するために、図１９（ａ）に示すように、用紙端部に余白を設け、図１９（ｂ）に示す印刷前の画像データのイメージとして示すような画像データのうち、余白部分に存在する画像データをカットして、図１９（ｃ）に示すように、印刷することで、搬送ベルト上にインクが吐出されることを防止している。
【０００７】
ところが、余白を確保するために、用紙後端部において、当該用紙後端の画像をカットして印刷すると、例えば、図２０（ａ）に示すような印刷前の画像には存在しているが、図２０（ｂ）に示すように、余白を設けるためにカットされることで、完全に消えてしまう画像がある場合、ユーザが出力された印刷物を見ただけでは、用紙後端部分の画像がカットされているかどうか判別できない場合もあり、情報が適切に伝えることができないという問題がある。
【０００８】
そこで、従来、複数の搬送ベルトを主走査方向または副走査方向に複数並べて配設して、搬送性能を維持しつつ、ふちなし印刷を可能とする技術が提案されている（特許文献１、特許文献２参照）。
【０００９】
【特許文献１】特開２００５−３０５６８８号公報
【特許文献２】特開２００５−３０６５１５号公報
【発明の開示】
【発明が解決しようとする課題】
【００１０】
しかしながら、上記従来技術にあっては、搬送ベルトの形状を一部変更することで、複数の搬送ベルトを構成し、用紙の搬送性能を損なうことなく、ふちなし印刷を行うことができるが、搬送ベルトの形状を変更する必要があり、コストが高くなり、改良の必要があった。
【００１１】
そこで、本発明は、画像品質を良好に維持しつつ、用紙長さよりも長い画像を安価にかつ適切に印刷出力する画像形成装置を提供することを目的としている。
【課題を解決するための手段】
【００１２】
請求項１記載の発明の画像形成装置は、副走査方向への用紙の搬送と主走査方向に移動されるキャリッジに搭載されているノズルから画像データに基づく前記用紙へのインク滴の噴射を行って画像形成するとともに、少なくとも前記用紙の搬送方向後端側の所定幅の余白部分に画像データが存在すると、当該余白部分の画像データを省いて当該用紙から当該余白部分を除いた印刷可能領域にのみ印刷する後端余白設定印刷を行う画像形成装置において、前記後端余白設定印刷を行うと、後端余白設定印刷を行った旨を所定の報知手段から報知出力する印刷後報知処理を行うことにより、上記目的を達成している。
【００１３】
請求項２記載の発明の画像形成装置は、副走査方向への用紙の搬送と主走査方向に移動されるキャリッジに搭載されているノズルから画像データに基づく前記用紙へのインク滴の噴射を行って画像形成するとともに、少なくとも前記用紙の搬送方向後端側の所定幅の余白部分に画像データが存在すると、当該余白部分の画像データを省いて当該用紙から当該余白部分を除いた印刷可能領域にのみ印刷する後端余白設定印刷を行う画像形成装置において、前記用紙の搬送方向後端側の余白部分に画像データが存在すると、前記後端余白設定印刷を行うか否かの問い合わせを所定の報知手段から報知し、当該報知に応じて所定の指示操作手段から当該後端余白設定印刷の開始が指示操作されると、当該後端余白設定印刷を行う事前報知後端余白設定印刷処理を実行することにより、上記目的を達成している。
【００１４】
請求項３記載の発明の画像形成装置は、副走査方向への用紙の搬送と主走査方向に移動されるキャリッジに搭載されているノズルから画像データに基づく前記用紙へのインク滴の噴射を行って画像形成するとともに、少なくとも前記用紙の搬送方向後端側の所定幅の余白部分に画像データが存在すると、当該余白部分の画像データを省いて当該用紙から当該余白部分を除いた印刷可能領域にのみ印刷する後端余白設定印刷を行う画像形成装置において、前記後端余白設定印刷を行うと、当該後端余白部分の画像データを次ページの用紙に印刷出力するデータ分割印刷処理を行うことにより、上記目的を達成している。
【００１５】
請求項４記載の発明の画像形成装置は、副走査方向への用紙の搬送と主走査方向に移動されるキャリッジに搭載されているノズルから画像データに基づく前記用紙へのインク滴の噴射を行って画像形成するとともに、少なくとも前記用紙の搬送方向後端側の所定幅の余白部分に画像データが存在すると、当該余白部分の画像データを省いて当該用紙から当該余白部分を除いた印刷可能領域にのみ印刷する後端余白設定印刷を行う画像形成装置において、前記用紙の搬送方向後端側の余白部分に画像データが存在すると、前記後端余白設定印刷を行う場合に当該後端余白部分の画像データを次ページの用紙に印刷出力するか否かの問い合わせを所定の報知手段から報知して、当該報知に応じた所定の指示操作手段からの指示操作に応じて、前記余白部分の画像データを省いた後端余白設定印刷のみを行う事前報知後端余白設定印刷処理と、前記後端余白設定印刷を行うとともに当該後端余白部分の画像データを次ページの用紙に印刷出力するデータ分割印刷処理とを選択的に実行することにより、上記目的を達成している。
【００１６】
請求項５記載の発明の画像形成装置は、副走査方向への用紙の搬送と主走査方向に移動されるキャリッジに搭載されているノズルから画像データに基づく前記用紙へのインク滴の噴射を行って画像形成するとともに、少なくとも前記用紙の搬送方向後端側の所定幅の余白部分に画像データが存在すると、当該余白部分の画像データを省いて当該用紙から当該余白部分を除いた印刷可能領域にのみ印刷する後端余白設定印刷を行う画像形成装置において、外部から渡される画像データに基づいて画像形成するプリンタ機能、読み取った原稿の画像を画像形成するコピー機能及び少なくともファクシミリ受信した画像データを画像形成するファクシミリ機能等の各種アプリケーション機能を備え、前記用紙の搬送方向後端側の余白部分に画像データが存在すると、前記後端余白設定印刷を行う場合に、当該後端余白設定印刷を行った後に当該後端余白設定印刷を行った旨を所定の報知手段から報知出力する印刷後報知処理、所定の報知手段からの所定の問い合わせの報知に応じた所定の指示操作手段からの指示操作に応じた前記後端余白設定印刷の開始の指示操作に応じて当該後端余白設定印刷を行う事前報知後端余白設定印刷処理、前記後端余白設定印刷の後端余白部分の画像データを次ページの用紙に印刷出力するデータ分割印刷処理うち、前記アプリケーション機能毎に予め設定された設定状態に応じて、または、前記アプリケーション機能毎に所定の選択手段での選択に応じて選択した処理を実行することにより、上記目的を達成している。
【００１７】
請求項６記載の発明の画像形成装置は、副走査方向への用紙の搬送と主走査方向に移動されるキャリッジに搭載されているノズルから画像データに基づく前記用紙へのインク滴の噴射を行って画像形成するとともに、少なくとも前記用紙の搬送方向後端側の所定幅の余白部分に画像データが存在すると、当該余白部分の画像データを省いて当該用紙から当該余白部分を除いた印刷可能領域にのみ印刷する後端余白設定印刷を行う画像形成装置において、外部から渡される画像データに基づいて画像形成するプリンタ機能、読み取った原稿の画像を画像形成するコピー機能及び少なくともファクシミリ受信した画像データを画像形成するファクシミリ機能等の各種アプリケーション機能を備え、当該ファクシミリ機能で受信した画像データが前記用紙の搬送方向後端側の余白部分に存在すると、前記後端余白設定印刷を行う場合に、当該後端余白設定印刷を行った後に当該後端余白設定印刷を行った旨を所定の報知手段から報知出力する印刷後報知処理、所定の報知手段からの所定の問い合わせの報知に応じた所定の指示操作手段からの指示操作に応じた前記後端余白設定印刷の開始の指示操作に応じて当該後端余白設定印刷を行う事前報知後端余白設定印刷処理、前記後端余白設定印刷の後端余白部分の画像データを次ページの用紙に印刷出力するデータ分割印刷処理のいずれの処理を実行するかがファクシミリ画像の送信元毎に予め設定され、当該設定状態に応じて実行する処理を選択することにより、上記目的を達成している。
【００１８】
上記請求項４から請求項６の場合、例えば、請求項７に記載するように、前記画像形成装置は、前記用紙の搬送方向後端側の余白部分に画像データが存在すると、前記後端余白設定印刷を行うか否かの問い合わせを所定の報知手段から報知し、当該問い合わせの報知に応じた所定の指示操作手段からの指示操作に応じた処理を行ってもよい。
【発明の効果】
【００１９】
本発明の画像形成装置によれば、用紙の搬送方向後端側の所定幅の余白部分に画像データが存在すると、当該余白部分の画像データを省いて印刷可能領域にのみ印刷する後端余白設定印刷を行うと、後端余白設定印刷を行った旨を報知出力するので、後端余白部分の画像が一部省かれて印刷されていることを確実に確認することができ、画像品質を良好に維持しつつ、用紙長さよりも長い画像を安価にかつ適切に印刷出力することができる。
【発明を実施するための最良の形態】
【００２０】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２１】
図１〜図３は、本発明の画像形成装置の第１実施例を示す図であり、図１は、本発明の画像形成装置の第１実施例を適用したカラーインク噴射式複合装置１のブロック構成図である。
【００２２】
図１において、カラーインク噴射式複合装置１は、システムコントローラ２、通信コントローラ３、プリンタドライバ４、操作パネル５、給紙部６、網制御部７、キャリッジ駆動部８、キャリッジ９、ベルト駆動部１０及び搬送ベルト１１等を備えており、上記システムコントローラ２は、システムコントローラ２、通信コントローラ３、プリンタドライバ４、操作パネル５、給紙部６、網制御部７等とシステムバス１２で接続されている。
【００２３】
システムコントローラ２は、ＣＰＵ（Central Processing Unit ）、ＲＯＭ（Read Only Memory）、ＲＡＭ（Random Access Memory）等を備えており、カラーインク噴射式複合装置１の各部を制御して、カラーインク噴射式複合装置１としての基本処理を実行するとともに、後述する後端余白設定印刷制御処理を実行する。
【００２４】
通信コントローラ３には、ＬＡＮ（Local Area Network）等の通信回線を介してパーソナルコンピュータ（ＰＣ）２０が接続されており、通信コントローラ３は、システムコントローラ２の制御下で、パーソナルコンピュータ２０との間で制御信号の授受を行って、外部であるパーソナルコンピュータ２０から印刷データと制御信号を受け取る。
【００２５】
プリンタドライバ４は、パーソナルコンピュータ２０から受け取った印刷データをシステムコントローラ２が処理可能な印刷データに変換する。
【００２６】
操作パネル５は、各種操作キー及びディスプレイ（例えば、液晶ディスプレイ等）を備えており、操作キーからはカラーインク噴射式複合装置１に各種動作を行わせるのに必要な各種操作が行われ、ディスプレイには、操作キーからの操作内容やカラーインク噴射式複合装置１からオペレータ（操作者）に通知する各種情報を表示する。特に、操作パネル５には、後述する後端余白設定印刷制御処理で必要な各種指示操作や選択操作を行う操作キー（操作手段）及び後端余白設定印刷制御処理で操作者に各種情報を通知する報知手段としてのディスプレイや音声出力機構（スピーカ等）が設けられている。
【００２７】
給紙部６は、所定サイズの複数枚の記録紙Ｐを収納する給紙トレイや搬送機構等を備えており、搬送機構で、当該給紙トレイの記録紙Ｐを１枚ずつ分離して、搬送ベルト１１上に搬送する。
【００２８】
網制御部７には、回線、例えば、公衆電話回線等が接続されており、網制御部７は、回線からの発呼に対して自動着呼し、また、回線への自動発呼処理を行うとともに、システムコントローラ２の制御下で、相手ファクシミリ装置との間でファクシミリ制御信号を交換して、ファクシミリ通信手順を実行する。
【００２９】
キャリッジ９は、図示しないが、カラー画像を形成するのに必要な各色、例えば、イエロー（Ｙ）、マゼンタ（Ｍ）、ブラック（Ｋ）、シアン（Ｃ）の記録ヘッドを副走査方向に並べて搭載しており、キャリッジ９には、それぞれ図示しない対応色のインクタンクから対応色のインクが供給され、対応色のインク（液滴）を記録紙Ｐに吐出する。
【００３０】
キャリッジ９の下方には、図示しない搬送ローラとテンションローラに張り渡された搬送ベルト１１が配設されており、搬送ベルト１１は、ベルト駆動部１０によって図１の副走査方向に移動されることで、給紙部６から搬送されてきた記録紙Ｐを静電吸着等によって吸着しつつ図１の副走査方向に搬送する。
【００３１】
ベルト駆動部１０は、システムコントローラ２の制御下で動作して、間欠動作を繰り返しながら搬送ベルト１１を間欠的に副走査方向に移動させ、搬送ベルト１１上の記録紙Ｐを搬送方向（副走査方向）に搬送させる。
【００３２】
キャリッジ駆動部８は、システムコントローラ２の制御下で、キャリッジ９の主走査方向の移動を行わせる主走査モータの駆動を制御して、キャリッジ１１の主走査方向の移動を制御する。
【００３３】
キャリッジ９には、端部検出センサ１３が取り付けられており、端部検出センサ１３は、記録紙Ｐの端部を検出して端部検知信号をシステムコントローラ２に出力する。
【００３４】
また、システムコントローラ２は、画像信号をキャリッジ９の各記録ヘッドを駆動制御するヘッド駆動制御部（図示略）に出力し、ヘッド駆動制御部が、この画像信号に基づいて各色の記録ヘッドの駆動を制御して、各色の記録ヘッドのノズルから画像信号に対応したインク滴を吐出させて記録紙Ｐ上にフルカラーの画像を形成する。すなわち、インク噴射式複合装置１は、インク滴を吐出する各色のノズルを副走査方向に並べた各色の記録ヘッドを保持するキャリッジ９の主走査方向への移動（スキャン）と、記録紙Ｐの副走査方向への移動を交互に行うことによって画像を形成する。
【００３５】
インク噴射式複合装置１は、パーソナルコンピュータ２０から受信した印刷データを記録紙Ｐに印刷出力するプリンタ機能だけでなく、図示しないが、原稿の画像を読み取るスキャナ部を備え、スキャナ部で読み取った原稿の画像を印刷出力するコピー機能、網制御部７を介して送信元から受信したファクシミリ画像を印刷出力しまたスキャナ部で読み取った原稿の画像を網制御部７を介して送信先に送信するファクシミリ機能等の各種アプリケーション機能を備えている。
【００３６】
また、インク噴射式複合装置１は、画像を記録紙Ｐに印刷出力する場合、記録紙Ｐの周辺部に所定幅の余白を設けて画像を印刷出力するが、記録紙Ｐから余白部分を除いた領域が印刷可能領域であり、この印刷可能領域からはみ出して余白部分に印刷対象の画像が存在する場合には、搬送ベルト１１にインクが付着して画像品質を低下させるおそれがあるため、当該余白部分にはみ出した画像を削除して印刷可能領域のみの画像を印刷出力する端部余白設定印刷処理、特に、記録紙Ｐの搬送方向後端側の余白部分に画像（データ）が存在すると、当該余白部分の画像データを省いて印刷可能領域にのみ印刷する後端余白設定印刷処理を行う。
【００３７】
次に、本実施例の作用を説明する。本実施例のインク噴射式複合装置１は、後端余白設定印刷制御処理として、記録紙Ｐの搬送方向後端側の余白部分の画像データを省いて印刷可能領域にのみ印刷する後端余白設定印刷を行った際に、当該後端余白設定印刷を行った旨を報知出力する印刷後報知処理を行う。
【００３８】
すなわち、システムコントローラ２は、画像データに基づいて記録紙Ｐに画像を印刷出力する印刷モードに移行すると、図２に示すように、印刷対象の画像（画像データ）があるかチェックし（ステップＳ１０１）、印刷対象の画像が無いときには、印刷処理を行うことができないため、そのまま処理を終了する。
【００３９】
ステップＳ１０１で、印刷対象の画像（１ページ分の画像）があると、システムコントローラ２は、現在の印刷対象が用紙後端部分の印刷であるかチェックし（ステップＳ１０２）、用紙後端部分の印刷でないときには、印刷を続行して（ステップＳ１０３）、ステップＳ１０１に戻って、上記同様に処理する（ステップＳ１０１〜Ｓ１０３）。この印刷処理で、用紙後端部分の印刷になる前に、ステップＳ１０１で画像が無くなると、そのまま処理を終了する。
【００４０】
ステップＳ１０２で、用紙後端部分の印刷であると、システムコントローラ２は、当該印刷対象の画像が印刷可能領域内に収まるか否か判別する（ステップＳ１０４）。すなわち、インク噴射式複合装置１は、上述のように、記録紙Ｐの周辺部に所定幅の余白を設けた端部余白設定印刷、特に、記録紙Ｐの後端側に余白を設けた後端余白設定印刷を行うが、記録紙Ｐからこの余白部分を除いた領域が印刷可能領域であり、ステップＳ１０４では、この印刷可能領域内に印刷対象の画像が収まるか否か判別している。
【００４１】
ステップＳ１０４で、印刷可能領域内に印刷対象の画像が収まるときには、システムコントローラ２は、当該ページの画像の印刷を最後まで行って、印刷処理を終了する（ステップＳ１０５）。
【００４２】
ステップＳ１０４で、印刷可能領域内に印刷対象の画像が収まらないときには、システムコントローラ２は、当該ページの画像の印刷可能領域内に収まらない後端部分（余白部分）の画像を省く（カットする）画像処理を行い（ステップＳ１０６）、当該後端部分の画像をカットした画像を印刷出力する後端余白設定印刷処理を行う（ステップＳ１０７）。
【００４３】
システムコントローラ２は、後端余白設定印刷を終了すると、後端画像の一部をカットした旨を報知出力（通知）する印刷後報知処理を行って、処理を終了する（ステップＳ１０８）。
【００４４】
この印刷後報知処理では、例えば、図３に示すように、操作パネル５のディスプレイ５ａにその旨のメッセージ、例えば、「用紙後端画像の一部がカットされました！！」を表示することで、または／及び、スピーカからその旨のメッセージを音声出力すること等で報知する。
【００４５】
このように、本実施例のインク噴射式複合装置１は、記録紙Ｐの搬送方向後端側の所定幅の余白部分に画像データが存在すると、当該余白部分の画像データを省いて記録紙Ｐから当該余白部分を除いた印刷可能領域にのみ印刷する後端余白設定印刷を行うと、後端余白設定印刷を行った旨を報知出力している。
【００４６】
したがって、後端余白部分の画像が一部省かれて印刷されていることを確実に確認することができ、安価にかつ画像品質を良好に維持しつつ、用紙長さよりも長い画像を安価にかつ適切に印刷出力することができるとともに、利用性を向上させることができる。
【実施例２】
【００４７】
図４及び図５は、本発明の画像形成装置の第２実施例を示す図であり、図４は、本発明の画像形成装置の第２実施例を適用したカラーインク噴射式複合装置による後端余白設定印刷制御処理を示すフローチャートである。
【００４８】
なお、本実施例は、上記第１実施例のインク噴射式複合装置１と同様のインク噴射式複合装置に適用したものであり、本実施例の説明においては、必要に応じて、上記第１実施例の説明で用いた符号をそのまま用いて説明する。
【００４９】
本実施例のインク噴射式複合装置１は、後端余白設定印刷制御処理として、後端余白設定印刷を実行する前に、後端余白設定印刷を行う旨、すなわち、後端画像の一部がカットされる旨を報知して、操作者が印刷開始の指示操作を行うことを条件に、後端余白設定印刷する事前報知後端余白設定印刷処理を行う。
【００５０】
すなわち、本実施例のインク噴射式複合装置１は、画像データに基づいて記録紙Ｐに画像を印刷出力する印刷モードに移行すると、システムコントローラ２が、図４に示すように、印刷対象の記録紙Ｐのサイズ（用紙サイズ）と余白の設定から印刷可能領域を算出し（ステップＳ２０１）、１ページ分の印刷対象の画像が印刷可能領域内に収まるか否か判断する（ステップＳ２０２）。
【００５１】
次に、システムコントローラ２は、１ページ分の印刷対象の画像が印刷可能領域内に収まるかチェックして（ステップＳ２０３）、収まるときには、当該印刷対象の画像の印刷を開始して、１ページ分の画像の印刷を完了すると、処理を終了する（ステップＳ２０４）。
【００５２】
ステップＳ２０３で、１ページ分の印刷対象の画像が印刷可能領域内に収まらないときには、システムコントローラ２は、後端画像の一部がカットされる旨を操作者（ユーザ）に報知出力（通知）し（ステップＳ２０５）、操作者が操作パネル５のキー操作で印刷開始が指示操作されるのを待つ（ステップＳ２０６）。
【００５３】
上記後端画像の一部がカットされる旨の報知処理では、例えば、図５に示すように、操作パネル５のディスプレイ５ａにその旨のメッセージ、例えば、「用紙後端画像の一部がカットされます！！」を表示することで、または／及び、スピーカからその旨のメッセージを音声出力すること等で行う。
【００５４】
ステップＳ２０６で、操作者（ユーザ）による印刷開始の指示操作（要求）があると、印刷を開始し（ステップＳ２０７）、当該印刷対象の画像の後端部の余白部分の画像を一部カットした後端余白設定印刷処理を開始して、１ページ分の画像の後端余白設定印刷処理を完了すると、処理を終了する（ステップＳ２０８）。
【００５５】
このように、本実施例のインク噴射式複合装置１は、記録紙Ｐの搬送方向後端側の所定幅の余白部分に画像データが存在すると、後端余白設定印刷を行うか否かの問い合わせをディスプレイ５ａへの表示等で報知し、当該報知に応じて操作パネル５から当該後端余白設定印刷の開始が指示操作されると、当該後端余白設定印刷を行う事前報知後端余白設定印刷処理を実行している。
【００５６】
したがって、事前に後端余白部分の画像が一部省かれて印刷されることを確実に確認することができ、安価にかつ画像品質を良好に維持しつつ、用紙長さよりも長い画像を適切にかつ安価に印刷出力することができるとともに、利用性を向上させることができる。
【実施例３】
【００５７】
図６及び図７は、本発明の画像形成装置の第３実施例を示す図であり、図６は、本発明の画像形成装置の第３実施例を適用したカラーインク噴射式複合装置による後端余白設定印刷制御処理を示すフローチャートである。
【００５８】
なお、本実施例は、上記第１実施例のインク噴射式複合装置１と同様のインク噴射式複合装置に適用したものであり、本実施例の説明においては、必要に応じて、上記第１実施例の説明で用いた符号をそのまま用いて説明する。
【００５９】
本実施例のインク噴射式複合装置１は、後端余白設定印刷制御処理として、後端余白設定印刷を行うと、当該後端余白設定印刷処理でカットした（省いた）画像を、次ページに印刷するデータ分割印刷処理を行う。
【００６０】
すなわち、本実施例のインク噴射式複合装置１は、画像データに基づいて記録紙Ｐに画像を印刷出力する印刷モードに移行すると、システムコントローラ２が、図６に示すように、印刷対象の画像（画像データ）があるかチェックし（ステップＳ３０１）、印刷対象の画像が無いときには、印刷処理を行うことができないため、そのまま処理を終了する。
【００６１】
ステップＳ３０１で、印刷対象の画像（１ページ分の画像）があると、システムコントローラ２は、現在の印刷対象が用紙後端部分の印刷であるかチェックし（ステップＳ３０２）、用紙後端部分の印刷でないときには、印刷を続行して（ステップＳ３０３）、ステップＳ３０１に戻って、上記同様に処理する（ステップＳ３０１〜Ｓ３０３）。この印刷処理で、用紙後端部分の印刷になる前に、ステップＳ３０１で画像が無くなると、そのまま処理を終了する。
【００６２】
ステップＳ３０２で、用紙後端部分の印刷であると、システムコントローラ２は、当該印刷対象の画像が印刷可能領域内に収まるか否か判別する（ステップＳ３０４）。
【００６３】
ステップＳ３０４で、印刷可能領域内に印刷対象の画像が収まるときには、システムコントローラ２は、当該ページの画像の印刷を最後まで行って、印刷処理を終了する（ステップＳ３０５）。
【００６４】
ステップＳ３０４で、印刷可能領域内に印刷対象の画像が収まらないときには、すなわち、図７（ａ）に示すように、画像が後端余白部分に存在するときには、システムコントローラ２は、当該ページ画像の印刷可能領域内に収まらない後端部分（余白部分）の画像を省く（カットする）画像処理を行い（ステップＳ３０６）、当該カットした画像を次ページの画像データとして所定のメモリに保存（確保）して（ステップＳ３０７）、当該後端部分の画像をカットした画像を、図７（ｂ）に示すように、記録紙Ｐの後端部分に余白を設けて印刷出力する後端余白設定印刷処理を行う（ステップＳ３０８）。
【００６５】
システムコントローラ２は、後端余白設定印刷を終了すると、ステップＳ３０７で保存（確保）した余白部分の画像データに基づいて、図７（ｃ）に示すように、当該画像を次ページ目の画像として印刷して、処理を終了する（ステップＳ３０９）。
【００６６】
このように、本実施例のインク噴射式複合装置１は、余白部分の画像データを省いて記録紙Ｐから当該余白部分を除いた印刷可能領域にのみ印刷する後端余白設定印刷を行うと、当該後端余白部分の画像データを次ページの記録紙Ｐに印刷出力するデータ分割印刷処理を行っている。
【００６７】
したがって、重要な画像情報が余白部分にある場合に、当該余白部分の画像を次ページに印刷して、情報内容を確認することができ、利用性をより一層向上させることができる。
【実施例４】
【００６８】
図８〜図１０は、本発明の画像形成装置の第４実施例を示す図であり、図８は、本発明の画像形成装置の第４実施例を適用したカラーインク噴射式複合装置による後端余白設定印刷制御処理を示すフローチャートである。
【００６９】
なお、本実施例は、上記第１実施例のインク噴射式複合装置１と同様のインク噴射式複合装置に適用したものであり、本実施例の説明においては、必要に応じて、上記第１実施例の説明で用いた符号をそのまま用いて説明する。
【００７０】
本実施例のインク噴射式複合装置１は、後端余白設定印刷制御処理として、後端余白設定印刷を実行する前に、後端余白設定印刷を行う旨と当該後端余白設定印刷の印刷方法（方式）の選択を促す通知を行って、当該通知に応じて選択された処理方法で印刷する選択印刷処理を行う。
【００７１】
すなわち、本実施例のインク噴射式複合装置１は、画像データに基づいて記録紙Ｐに画像を印刷出力する印刷モードに移行すると、システムコントローラ２が、図８に示すように、印刷対象の記録紙Ｐのサイズ（用紙サイズ）と余白の設定から印刷可能領域を算出し（ステップＳ４０１）、１ページ分の印刷対象の画像が印刷可能領域内に収まるか否か判断する（ステップＳ４０２）。
【００７２】
次に、システムコントローラ２は、１ページ分の印刷対象の画像が印刷可能領域内に収まるかチェックして（ステップＳ４０３）、収まるときには、当該印刷対象の画像の印刷を開始して、１ページ分の画像の印刷を完了すると、処理を終了する（ステップＳ４０４）。
【００７３】
ステップＳ４０３で、１ページ分の印刷対象の画像が印刷可能領域内に収まらないときには、システムコントローラ２は、後端画像の一部がカットされる旨を報知するとともに、操作者（ユーザ）に対して当該カットされる後端画像の処理方法を問い合わせる旨を報知出力（通知）する（ステップＳ２０５）。
【００７４】
この報知処理では、例えば、図１０に示すように、操作パネル５のディスプレイ５ａに後端画像の一部がカットされる旨のメッセージ、例えば、「用紙後端画像の一部がカットされます！！」を表示するとともに、２ページに分けての印刷（データ分割印刷）とそのままの印刷（後端余白設定印刷）を選択する画面を表示すること等で行う。
【００７５】
システムコントローラ２は、上記後端画像の処理方法を問い合わせる旨の報知出力（通知）に応じて、操作者が操作パネル５のキー操作で、後端画像の処理方法を選択すると（ステップＳ４０６）、図９に示すように、印刷を開始し（ステップＳ４０７）、印刷対象の画像（画像データ）があるかチェックする（ステップＳ４０８）。
【００７６】
ステップＳ４０８で、印刷対象の画像が無いときには、システムコントローラ２は、印刷処理を行うことができないため、そのまま処理を終了する。
【００７７】
ステップＳ４０８で、印刷対象の画像（１ページ分の画像）があると、システムコントローラ２は、現在の印刷対象が用紙後端部分の印刷であるかチェックし（ステップＳ４０９）、用紙後端部分の印刷でないときには、印刷を続行して（ステップＳ４１０）、ステップＳ４０８に戻って、上記同様に処理する（ステップＳ４０８〜Ｓ４１０）。この印刷処理で、用紙後端部分の印刷になる前に、ステップＳ４０８で画像が無くなると、そのまま処理を終了する。
【００７８】
ステップＳ４０９で、用紙後端部分の印刷であると、システムコントローラ２は、カットされる後端画像の処理方法を判別、すなわち、カットされる後端画像を２ページ目に印刷するデータ分割印刷処理が選択されているかチェックし（ステップＳ４１１）、データ分割印刷が選択されていないときには、当該ページの画像の印刷可能領域内に収まらない後端部分（余白部分）の画像を省く（カットする）画像処理を行って、当該後端部分の画像をカットした画像を印刷出力する後端余白設定印刷処理を行って、後端余白設定印刷処理を完了すると処理を終了する（ステップＳ４１２）。
【００７９】
ステップＳ４１１で、データ分割印刷が選択されているときには、システムコントローラ２は、ページ画像の印刷可能領域内に収まらない後端部分（余白部分）の画像を省く（カットする）画像処理を行い（ステップＳ４１３）、当該カットした画像を次ページの画像データとして所定のメモリに保存（確保）して（ステップＳ４１４）、当該後端部分の画像をカットした画像を、記録紙Ｐの後端部分に余白を設けて印刷出力する後端余白設定印刷処理を行う（ステップＳ４１５）。
【００８０】
システムコントローラ２は、後端余白設定印刷を終了すると、ステップＳ４１４で保存（確保）した余白部分の画像データに基づいて当該画像を次ページ目の画像として印刷して、処理を終了する（ステップＳ４１６）。
【００８１】
このように、本実施例のインク噴射式複合装置１は、記録紙Ｐの搬送方向後端側の余白部分に画像データが存在すると、後端余白設定印刷を行う場合に当該後端余白部分の画像データを次ページの用紙に印刷出力するか否かの問い合わせを報知して、当該報知に応じた操作パネル５からの指示操作に応じて、余白部分の画像データを省いた後端余白設定印刷のみを行う事前報知後端余白設定印刷処理と、後端余白設定印刷を行うとともに当該後端余白部分の画像データを次ページの用紙に印刷出力するデータ分割印刷処理とを選択的に実行している。
【００８２】
したがって、利用形態や画像の重要度等に応じた印刷方式で後端余白設定印刷を行うことができ、利用性をより一層向上させることができる。
【実施例５】
【００８３】
図１１及び図１２は、本発明の画像形成装置の第５実施例を示す図であり、図１１は、本発明の画像形成装置の第５実施例を適用したカラーインク噴射式複合装置による後端余白設定印刷制御処理を示すフローチャートである。
【００８４】
なお、本実施例は、上記第１実施例のインク噴射式複合装置１と同様のインク噴射式複合装置に適用したものであり、本実施例の説明においては、必要に応じて、上記第１実施例の説明で用いた符号をそのまま用いて説明する。
【００８５】
本実施例のインク噴射式複合装置１は、コピー機能での印刷において、後端余白設定印刷制御処理を予め設定されている処理方式に応じて処理する。この処理方式としては、上記実施例４の後端余白設定印刷処理を行う前に後端余白設定印刷処理を行う旨を通知して後端余白設定印刷の印刷方法の選択を促して当該通知に応じて選択された処理方法で印刷する選択印刷処理、実施例１の後端余白設定印刷処理を行った後に後端余白設定印刷を行った旨を報知出力する印刷後報知処理及び実施例３の後端余白設定印刷処理でカットした画像を、次ページに印刷するデータ分割印刷処理を行う。
【００８６】
すなわち、本実施例のインク噴射式複合装置１は、コピーモードでの印刷が開始されると、システムコントローラ２は、図１１に示すように、後端画像カット時の印刷方法、すなわち、後端余白設定印刷時の印刷処理方法が設定されているかチェックし（ステップＳ５０１）、印刷処理方法が設定されていないときには、通常のコピー印刷動作を行って処理を終了する（ステップＳ５０２）。なお、この通常のコピー印刷動作では、スキャナ部で読み取った原稿の画像を１ページずつ記録紙Ｐに印刷出力し、この印刷出力においては、記録紙Ｐの端部に余白を設けて印刷する余白設定印刷処理、特に、後端余白設定印刷処理を行うが、後端余白設定印刷処理を行っても、後端余白設定印刷を行った旨を報知出力する印刷後報知処理を行わない。また、インク噴射式複合装置１は、設定によっては、記録紙Ｐの余白部分に画像がある場合にも、後端余白設定印刷処理を行わずに、印刷する。
【００８７】
そして、インク噴射式複合装置１は、上記後端画像カット時の印刷方法の設定において、例えば、図１２（ａ）に示すように、操作パネル５のディスプレイ５ａにコピー初期設定画面を表示して、このコピー初期設定画面に後端画像カット時設定項目を表示し、この後端画像カット時設定項目が選択されると、図１２（ｂ）に示すような後端画像カット時設定画面を表示する。そして、インク噴射式複合装置１は、後端画像カット時設定画面に、後端画像カット時の印刷方法設定なしに該当する「通知しない」、後端余白設定印刷後に通知する印刷後報知処理に該当する「印刷後に通知する」、後端余白設定印刷前に通知して後端余白設定印刷の印刷方法の選択を促して当該通知に応じて選択された処理方法で印刷する選択印刷処理に該当する「印刷前に通知する（印刷開始要求待ち）」等の選択項目を表示して、ユーザ（操作者）による選択操作を可能として、当該選択結果を、システムコントローラ２の内部メモリ等に格納する。
【００８８】
ステップＳ５０１で、後端余白設定印刷時の印刷方法の設定があると、システムコントローラ２は、後端余白設定印刷時の印刷方法の設定が事前通知方式（後端余白設定印刷処理を実行する前にその旨を通知する方式）であるかチェックし（ステップＳ５０３）、事前通知方式であると、上記後端余白設定印刷処理を行う前に後端余白設定印刷処理を行う旨を通知して後端余白設定印刷の印刷方法の選択を促して当該通知に応じて選択された処理方法で印刷する実施例４の選択印刷処理を実行して、処理を終了する（ステップＳ５０４）。
【００８９】
ステップＳ５０３で、事前通知方式でないときには、システムコントローラ２は、後端余白設定印刷時の印刷方法の設定が事後通知方式であるかチェックし（ステップＳ５０５）、事後通知方式であると、後端余白設定印刷処理を行った後に後端余白設定印刷を行った旨を報知出力する実施例１の印刷後報知処理を実行して、処理を終了する（ステップＳ５０６）。
【００９０】
ステップＳ５０５で、事後通知方式でないときには、システムコントローラ２は、後端余白設定印刷処理でカットした画像を、次ページに印刷する実施例３のデータ分割印刷処理を実行して、処理を終了する（ステップＳ５０７）。
【００９１】
このように、本実施例のインク噴射式複合装置１は、コピー機能で後端余白設定印刷を行う場合に、当該後端余白設定印刷を行った後に当該後端余白設定印刷を行った旨を報知出力する印刷後報知処理、所定の問い合わせの報知に応じた指示操作に応じた後端余白設定印刷の開始の指示操作に応じて当該後端余白設定印刷を行う事前報知後端余白設定印刷処理、後端余白設定印刷の後端余白部分の画像データを次ページの用紙に印刷出力するデータ分割印刷処理うち、コピー機能に対して予め設定された設定状態に応じて選択した処理を実行している。
【００９２】
したがって、コピーモードに適した後端余白設定印刷方法を予め設定して、当該設定に応じて自動処理を行わせることができ、より一層利用性を向上させることができる。
【実施例６】
【００９３】
図１３及び図１４は、本発明の画像形成装置の第６実施例を示す図であり、図１３は、本発明の画像形成装置の第６実施例を適用したカラーインク噴射式複合装置による後端余白設定印刷制御処理を示すフローチャートである。
【００９４】
なお、本実施例は、上記第１実施例のインク噴射式複合装置１と同様のインク噴射式複合装置に適用したものであり、本実施例の説明においては、必要に応じて、上記第１実施例の説明で用いた符号をそのまま用いて説明する。
【００９５】
本実施例のインク噴射式複合装置１は、ファクシミリ機能での印刷において、後端余白設定印刷制御処理を予め設定されている処理方式に応じて処理する。この処理方式としては、上記実施例４の後端余白設定印刷処理を行う前に後端余白設定印刷処理を行う旨を通知して後端余白設定印刷の印刷方法の選択を促して当該通知に応じて選択された処理方法で印刷する選択印刷処理、実施例１の後端余白設定印刷処理を行った後に後端余白設定印刷を行った旨を報知出力する印刷後報知処理及び実施例３の後端余白設定印刷処理でカットした画像を、次ページに印刷するデータ分割印刷処理等を行う。
【００９６】
すなわち、本実施例のインク噴射式複合装置１は、ファクシミリモードでの印刷が開始されると、システムコントローラ２は、図１３に示すように、後端画像カット時の印刷方法、すなわち、後端余白設定印刷時の印刷処理方法が設定されているかチェックし（ステップＳ６０１）、印刷処理方法が設定されていないときには、通常のファクシミリ印刷（ファックス印刷）動作を行って処理を終了する（ステップＳ６０２）。なお、この通常のファクシミリ印刷動作では、ファクシミリ受信した画像を１ページずつ記録紙Ｐに印刷出力し、この印刷出力においては、記録紙Ｐの端部に余白を設けて印刷する余白設定印刷処理、特に、後端余白設定印刷処理を行うが、後端余白設定印刷処理を行っても、後端余白設定印刷を行った旨を報知出力する印刷後報知処理を行わない。また、インク噴射式複合装置１は、設定によっては、記録紙Ｐの余白部分に画像がある場合にも、後端余白設定印刷処理を行わずに、印刷する。
【００９７】
そして、インク噴射式複合装置１は、上記後端画像カット時の印刷方法の設定において、例えば、図１４（ａ）に示すように、操作パネル５のディスプレイ５ａにＦＡＸ初期設定画面を表示して、このＦＡＸ初期設定画面に後端画像カット時設定項目を表示し、この後端画像カット時設定項目が選択されると、図１４（ｂ）に示すような後端画像カット時設定画面を表示する。そして、インク噴射式複合装置１は、後端画像カット時設定画面に、後端画像カット時の印刷方法設定なしに該当する「通知しない」、後端余白設定印刷後に通知する印刷後報知処理に該当する「印刷後に通知する」、後端余白設定印刷前に通知して後端余白設定印刷の印刷方法の選択を促して当該通知に応じて選択された処理方法で印刷する選択印刷処理に該当する「印刷前に通知する（印刷開始要求待ち）」等の選択項目を表示して、ユーザ（操作者）による選択操作を可能として、当該選択結果をシステムコントローラ２の内部メモリに格納する。
【００９８】
ステップＳ６０１で、後端余白設定印刷時の印刷方法の設定があると、システムコントローラ２は、後端余白設定印刷時の印刷方法の設定が事前通知方式（後端余白設定印刷処理を実行する前にその旨を通知する方式）であるかチェックし（ステップＳ６０３）、事前通知方式であると、上記後端余白設定印刷処理を行う前に後端余白設定印刷処理を行う旨を通知して後端余白設定印刷の印刷方法の選択を促して当該通知に応じて選択された処理方法で印刷する実施例４の選択印刷処理を実行して、処理を終了する（ステップＳ６０４）。
【００９９】
ステップＳ６０３で、事前通知方式でないときには、システムコントローラ２は、後端余白設定印刷時の印刷方法の設定が事後通知方式であるかチェックし（ステップＳ６０５）、事後通知方式であると、後端余白設定印刷処理を行った後に後端余白設定印刷を行った旨を報知出力する実施例１の印刷後報知処理を実行して、処理を終了する（ステップＳ６０６）。
【０１００】
ステップＳ６０５で、事後通知方式でないときには、システムコントローラ２は、後端余白設定印刷処理でカットした画像を、次ページに印刷する実施例３のデータ分割印刷処理を実行して、処理を終了する（ステップＳ６０７）。
【０１０１】
このように、本実施例のインク噴射式複合装置１は、ファクシミリ機能で後端余白設定印刷を行う場合に、当該後端余白設定印刷を行った後に当該後端余白設定印刷を行った旨を報知出力する印刷後報知処理、所定の問い合わせの報知に応じた指示操作に応じた後端余白設定印刷の開始の指示操作に応じて当該後端余白設定印刷を行う事前報知後端余白設定印刷処理、後端余白設定印刷の後端余白部分の画像データを次ページの用紙に印刷出力するデータ分割印刷処理うち、ファクシミリ機能に対して予め設定された設定状態に応じて選択した処理を実行している。
【０１０２】
したがって、ファクシミリモードに適した後端余白設定印刷方法を予め設定して、当該設定に応じて自動処理を行わせることができ、より一層利用性を向上させることができる。
【実施例７】
【０１０３】
図１５及び図１６は、本発明の画像形成装置の第７実施例を示す図であり、図１５は、本発明の画像形成装置の第７実施例を適用したカラーインク噴射式複合装置による後端余白設定印刷制御処理を示すフローチャートである。
【０１０４】
なお、本実施例は、上記第１実施例のインク噴射式複合装置１と同様のインク噴射式複合装置に適用したものであり、本実施例の説明においては、必要に応じて、上記第１実施例の説明で用いた符号をそのまま用いて説明する。
【０１０５】
本実施例のインク噴射式複合装置１は、ファクシミリ機能での印刷において、後端余白設定印刷制御処理を、予めファクシミリ送信元毎に設定されている処理方式に応じて処理する。この処理方式としては、上記実施例４の後端余白設定印刷処理を行う前に後端余白設定印刷処理を行う旨を通知して後端余白設定印刷の印刷方法の選択を促して当該通知に応じて選択された処理方法で印刷する選択印刷処理、実施例１の後端余白設定印刷処理を行った後に後端余白設定印刷を行った旨を報知出力する印刷後報知処理及び実施例３の後端余白設定印刷処理でカットした画像を、次ページに印刷するデータ分割印刷処理等を行う。また、本実施例のインク噴射式複合装置１は、送信元が処理方式の設定されていない送信元であると、実施例６の処理を実行する。
【０１０６】
すなわち、本実施例のインク噴射式複合装置１は、ファクシミリモードでの印刷が開始されると、システムコントローラ２は、図１５に示すように、受信ファクシミリの送信元が後端画像カット時の印刷方法、すなわち、後端余白設定印刷時の印刷処理方法の設定されている送信元であるか（後端画像カット時の印刷方法の設定されている相手先からの受信であるか）チェックし（ステップＳ７０１）、印刷処理方法の設定されている送信元からの受信でないときには、通常のファクシミリ印刷（ファックス印刷）動作を行って処理を終了する（ステップＳ７０２）。なお、この通常のファクシミリ印刷動作では、ファクシミリ受信した画像を１ページずつ記録紙Ｐに印刷出力し、この印刷出力においては、記録紙Ｐの端部に余白を設けて印刷する余白設定印刷処理、特に、後端余白設定印刷処理を行うが、後端余白設定印刷処理を行っても、後端余白設定印刷を行った旨を報知出力する印刷後報知処理を行わない。また、インク噴射式複合装置１は、設定によっては、記録紙Ｐの余白部分に画像がある場合にも、後端余白設定印刷処理を行わずに、印刷する。
【０１０７】
そして、インク噴射式複合装置１は、上記ファクシミリ送信元毎の後端画像カット時の印刷方法の設定において、例えば、図１６（ａ）に示すように、操作パネル５のディスプレイ５ａにＦＡＸ初期設定画面を表示して、このＦＡＸ初期設定画面に後端画像カット時設定項目を表示し、この後端画像カット時設定項目が選択されると、図１６（ｂ）に示すような後端画像カット時設定画面を表示する。そして、インク噴射式複合装置１は、後端画像カット時設定画面に、詳細設定項目を表示し、詳細設定項目が選択されると、図１６（ｃ）に示すような送信元（ファクシミリ受信の相手先）を選択する詳細設定画面を表示する。インク噴射式複合装置１は、この詳細設定画面で送信元が選択されると、図１６（ｄ）に示すような後端画像カット時処理方法選択画面を表示して、例えば、後端画像カット時の印刷方法設定なしに該当する「通知しない」、後端余白設定印刷後に通知する印刷後報知処理に該当する「印刷後に通知する」、後端余白設定印刷前に通知して後端余白設定印刷の印刷方法の選択を促して当該通知に応じて選択された処理方法で印刷する選択印刷処理に該当する「印刷前に通知する（印刷開始要求待ち）」等の選択項目を表示して、ユーザ（操作者）による選択操作を可能とする。
【０１０８】
ステップＳ７０１で、後端余白設定印刷時の印刷方法の設定があると、システムコントローラ２は、受信相手先（送信元）の後端余白設定印刷時の印刷方法の設定が事前通知方式（後端余白設定印刷処理を実行する前にその旨を通知する方式）であるかチェックし（ステップＳ７０３）、事前通知方式であると、上記後端余白設定印刷処理を行う前に後端余白設定印刷処理を行う旨を通知して後端余白設定印刷の印刷方法の選択を促して当該通知に応じて選択された処理方法で印刷する実施例４の選択印刷処理を実行して、処理を終了する（ステップＳ７０４）。
【０１０９】
ステップＳ７０３で、事前通知方式でないときには、システムコントローラ２は、後端余白設定印刷時の印刷方法の設定が事後通知方式であるかチェックし（ステップＳ７０５）、事後通知方式であると、後端余白設定印刷処理を行った後に後端余白設定印刷を行った旨を報知出力する実施例１の印刷後報知処理を実行して、処理を終了する（ステップＳ７０６）。
【０１１０】
ステップＳ７０５で、事後通知方式でないときには、システムコントローラ２は、後端余白設定印刷処理でカットした画像を、次ページに印刷する実施例３のデータ分割印刷処理を実行して、処理を終了する（ステップＳ７０７）。
【０１１１】
このように、本実施例のインク噴射式複合装置１は、ファクシミリ機能で受信した画像データが記録紙Ｐの搬送方向後端側の余白部分に存在すると、後端余白設定印刷を行う場合に、当該後端余白設定印刷を行った後に当該後端余白設定印刷を行った旨を報知出力する印刷後報知処理、所定の問い合わせの報知に応じた操作パネル５からの指示操作に応じた後端余白設定印刷の開始の指示操作に応じて当該後端余白設定印刷を行う事前報知後端余白設定印刷処理、後端余白設定印刷の後端余白部分の画像データを次ページの用紙に印刷出力するデータ分割印刷処理のいずれの処理を実行するかがファクシミリ画像の送信元毎に予め設定され、当該設定状態に応じて実行する処理を選択している。
【０１１２】
したがって、ファクシミリ画像の送信元毎に、後端余白設定印刷処理の印刷方法を設定して自動的に当該設定した印刷方法で印刷させることができ、利用形態やファクシミリ画像の重要度等に応じた印刷を行うことができるとともに、利用性をより一層向上させることができる。
【実施例８】
【０１１３】
図１７及び図１８は、本発明の画像形成装置の第８実施例を示す図であり、図１７は、本発明の画像形成装置の第８実施例を適用したカラーインク噴射式複合装置による後端余白設定印刷制御処理を示すフローチャートである。
【０１１４】
なお、本実施例は、上記第１実施例のインク噴射式複合装置１と同様のインク噴射式複合装置に適用したものであり、本実施例の説明においては、必要に応じて、上記第１実施例の説明で用いた符号をそのまま用いて説明する。
【０１１５】
本実施例のインク噴射式複合装置１は、プリンタ機能での印刷において、後端余白設定印刷制御処理を予め設定されている処理方式に応じて処理する。この処理方式としては、上記実施例４の後端余白設定印刷処理を行う前に後端余白設定印刷処理を行う旨を通知して後端余白設定印刷の印刷方法の選択を促して当該通知に応じて選択された処理方法で印刷する選択印刷処理、実施例１の後端余白設定印刷処理を行った後に後端余白設定印刷を行った旨を報知出力する印刷後報知処理及び実施例３の後端余白設定印刷処理でカットした画像を、次ページに印刷するデータ分割印刷処理を行う。
【０１１６】
すなわち、本実施例のインク噴射式複合装置１は、プリンタモードでの印刷が開始されると、システムコントローラ２は、図１７に示すように、後端画像カット時の印刷方法、すなわち、後端余白設定印刷時の印刷処理方法が設定されているかチェックし（ステップＳ８０１）、印刷処理方法が設定されていないときには、通常のプリンタ印刷動作を行って処理を終了する（ステップＳ８０２）。なお、この通常のプリンタ印刷動作では、パーソナルコンピュータ２０から送られてきた画像データを１ページずつ記録紙Ｐに印刷出力し、この印刷出力においては、記録紙Ｐの端部に余白を設けて印刷する余白設定印刷処理、特に、後端余白設定印刷処理を行うが、後端余白設定印刷処理を行っても、後端余白設定印刷を行った旨を報知出力する印刷後報知処理を行わない。また、インク噴射式複合装置１は、設定によっては、記録紙Ｐの余白部分に画像がある場合にも、後端余白設定印刷処理を行わずに、印刷する。
【０１１７】
そして、インク噴射式複合装置１は、上記後端画像カット時の印刷方法の設定において、例えば、図１８（ａ）に示すように、操作パネル５のディスプレイ５ａにプリンタドライバ４によるプリント初期設定画面３０を表示して、このプリント初期設定画面３０に後端画像カット時設定項目を表示し、この後端画像カット時設定項目が選択されると、図１８（ｂ）に示すようなプリンタドライバ４による後端画像カット時設定画面３０ａを表示する。そして、インク噴射式複合装置１は、後端画像カット時設定画面３０ａに、後端画像カット時の印刷方法設定なしに該当する「通知しない」、後端余白設定印刷後に通知する印刷後報知処理に該当する「印刷後に通知する」、後端余白設定印刷前に通知して後端余白設定印刷の印刷方法の選択を促して当該通知に応じて選択された処理方法で印刷する選択印刷処理に該当する「印刷前に通知する（印刷開始要求待ち）」、「カット画像を２ページ目に印刷する」等の選択項目を表示して、ユーザ（操作者）による選択操作を可能とする。
【０１１８】
ステップＳ８０１で、後端余白設定印刷時の印刷方法の設定があると、システムコントローラ２は、後端余白設定印刷時の印刷方法の設定が事前通知方式（後端余白設定印刷処理を実行する前にその旨を通知する方式）であるかチェックし（ステップＳ８０３）、事前通知方式であると、上記後端余白設定印刷処理を行う前に後端余白設定印刷処理を行う旨を通知して後端余白設定印刷の印刷方法の選択を促して当該通知に応じて選択された処理方法で印刷する実施例４の選択印刷処理を実行して、処理を終了する（ステップＳ８０４）。
【０１１９】
ステップＳ８０３で、事前通知方式でないときには、システムコントローラ２は、後端余白設定印刷時の印刷方法の設定が事後通知方式であるかチェックし（ステップＳ８０５）、事後通知方式であると、後端余白設定印刷処理を行った後に後端余白設定印刷を行った旨を報知出力する実施例１の印刷後報知処理を実行して、処理を終了する（ステップＳ８０６）。
【０１２０】
ステップＳ８０５で、事後通知方式でないときには、システムコントローラ２は、後端余白設定印刷処理でカットした画像を、次ページに印刷する実施例３のデータ分割印刷処理を実行して、処理を終了する（ステップＳ８０７）。
【０１２１】
このように、本実施例のインク噴射式複合装置１は、プリンタ機能で後端余白設定印刷を行う場合に、当該後端余白設定印刷を行った後に当該後端余白設定印刷を行った旨を報知出力する印刷後報知処理、所定の問い合わせの報知に応じた指示操作に応じた後端余白設定印刷の開始の指示操作に応じて当該後端余白設定印刷を行う事前報知後端余白設定印刷処理、後端余白設定印刷の後端余白部分の画像データを次ページの用紙に印刷出力するデータ分割印刷処理うち、プリンタ機能に対して予め設定された設定状態に応じて選択した処理を実行している。
【０１２２】
したがって、プリンタモードに適した後端余白設定印刷方法を予め設定して、当該設定に応じて自動処理を行わせることができ、より一層利用性を向上させることができる。
【０１２３】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１２４】
本発明は、インク噴射方式で、余白設定印刷を行う場合に、用紙後端画像をカットした際の処理を適切に行う画像形成装置に適用することができる。
【図面の簡単な説明】
【０１２５】
【図１】本発明の画像形成装置の第１実施例を適用したカラーインク噴射式複合装置の要部ブロック構成図。
【図２】図１のカラーインク噴射式複合装置による印刷後報知処理を行う後端余白設定印刷制御処理を示すフローチャート。
【図３】図２の後端余白設定印刷制御処理で操作パネルのディスプレイに表示する報知画面の一例を示す図。
【図４】本発明の画像形成装置の第２実施例を適用したカラーインク噴射式複合装置印による事前報知後端余白設定印刷処理を行う後端余白設定印刷制御処理を示すフローチャート。
【図５】図４の事前報知後端余白設定印刷処理で操作パネルのディスプレイに表示する報知画面の一例を示す図。
【図６】本発明の画像形成装置の第３実施例を適用したカラーインク噴射式複合装置印によるデータ分割印刷処理を行う後端余白設定印刷制御処理を示すフローチャート。
【図７】図４の事前報知後端余白設定印刷処理による印刷前の画像（ａ）、１ページ目の画像（ｂ）及び２ページ目の画像（ｃ）の一例を示す図。
【図８】本発明の画像形成装置の第４実施例を適用したカラーインク噴射式複合装置印による選択印刷処理を行う後端余白設定印刷制御処理を示すフローチャート。
【図９】図８の選択印刷処理を行う後端余白設定印刷制御処理の続きの処理を示すフローチャート。
【図１０】図８及び図９の選択印刷処理を行う後端余白設定印刷制御処理における印刷方法設定画面の一例を示す図。
【図１１】本発明の画像形成装置の第５実施例を適用したカラーインク噴射式複合装置印によるコピー時の自動選択印刷処理を行う後端余白設定印刷制御処理を示すフローチャート。
【図１２】図１１のコピー時選択印刷処理を行う後端余白設定印刷制御処理における印刷方法設定画面の一例を示す図。
【図１３】本発明の画像形成装置の第６実施例を適用したカラーインク噴射式複合装置印によるファクシミリ印刷時の自動選択印刷処理を行う後端余白設定印刷制御処理を示すフローチャート。
【図１４】図１１のファクシミリ印刷時選択印刷処理を行う後端余白設定印刷制御処理における印刷方法設定画面の一例を示す図。
【図１５】本発明の画像形成装置の第７実施例を適用したカラーインク噴射式複合装置印によるファクシミリ印刷時の送信元毎の自動選択印刷処理を行う後端余白設定印刷制御処理を示すフローチャート。
【図１６】図１１のファクシミリ印刷時送信元毎選択印刷処理を行う後端余白設定印刷制御処理における印刷方法設定画面の一例を示す図。
【図１７】本発明の画像形成装置の第８実施例を適用したカラーインク噴射式複合装置印によるプリンタ印刷時の自動選択印刷処理を行う後端余白設定印刷制御処理を示すフローチャート。
【図１８】図１７のプリンタ印刷時選択印刷処理を行う後端余白設定印刷制御処理における印刷方法設定画面の一例を示す図。
【図１９】従来の用紙に余白を設けた状態（ａ）と余白部分に画像が存在する印刷データの例（ｂ）とこの画像データをカットして余白印刷した状態（ｃ）の説明図。
【図２０】用紙後端余白設定印刷前の画像（ａ）と用紙後端余白設定印刷後の画像（ｂ）の一例を示す図。
【符号の説明】
【０１２６】
１  カラーインク噴射式複合装置
２  システムコントローラ
３  通信コントローラ
４  プリンタドライバ
５  操作パネル
５ａ  ディスプレイ
６  給紙部
７  網制御部
８  キャリッジ駆動部
９  キャリッジ
１０  ベルト駆動部
１１  搬送ベルト
１２  システムバス
１３  端部検出センサ
２０  パーソナルコンピュータ
３０  プリント初期設定画面
３０ａ  後端画像カット時設定画面
【図１】
2007307744.tif 000003
【図２】
2007307744.tif 000004
【図３】
2007307744.tif 000005
【図４】
2007307744.tif 000006
【図５】
2007307744.tif 000007
【図６】
2007307744.tif 000008
【図７】
2007307744.tif 000009
【図８】
2007307744.tif 000010
【図９】
2007307744.tif 000011
【図１０】
2007307744.tif 000012
【図１１】
2007307744.tif 000013
【図１２】
2007307744.tif 000014
【図１３】
2007307744.tif 000015
【図１４】
2007307744.tif 000016
【図１５】
2007307744.tif 000017
【図１６】
2007307744.tif 000018
【図１７】
2007307744.tif 000019
【図１８】
2007307744.tif 000020
【図１９】
2007307744.tif 000021
【図２０】
2007307744.tif 000022